(57)【要約】【課題】限られた生活空間における奥行きの狭いまたはわずかな奥行きのスペースに奥行きのあるヒナ壇構造体を設置すること、また、前記ヒナ壇構造体の正面扉に絵画など種々の物品を嵌め込む構造を設けることにより、現代人に心の空間を確保すること。【解決手段】絵画などを内挿部材として挿入することができる正面扉と、正面扉の内側に設けられた棚および内部扉と、前記棚を支持する側部構造体とからなるヒナ壇構造体であり、前記内部扉の一部が、前記棚または側部構造体に設けられた支持機構により、旋回自在に支持され、かつ背面に、壁体に固着するための固着手段が設けられてなることを特徴としている。【選択図】図２
0003137056.tif 000002
【実用新案登録請求の範囲】
【請求項１】
正面扉と、
正面扉の内側に設けられた１個または複数個の棚と、
前記正面扉の内側に開閉自在に設けられた１個または複数個の内部扉と、
前記棚を支持する側部構造体とからなるヒナ壇構造体であって、
前記内部扉の一部が、前記棚または側部構造体に設けられた支持機構により、水平状態となるよう旋回自在に支持され、
かつ背面に、壁体に固着するための固着手段が設けられてなるヒナ壇構造体。
【請求項２】
前記正面扉が、枠体で、該枠体内に嵌めこまれた内挿部材が１個または複数個の部材を重ね合わせてなる請求項１記載のヒナ壇構造体。
【請求項３】
前記正面扉が１個または複数個である請求項１または２記載のヒナ壇構造体。
【考案の詳細な説明】
【技術分野】
【０００１】
本考案は、ヒナ壇構造体に関する。さらに詳しくは、正面扉の内側に設けられた内部扉が、水平状態となるよう旋回自在に棚または側部構造体により支持され、かつ背面に壁体と固着するための固着手段が設けられてなるヒナ壇構造体である。
【背景技術】
【０００２】
従来、日本には、居住空間内に仏壇を設けて、亡くなった人を供養する習慣がある。
【０００３】
その一方で、集合住宅などにおいては、生活空間の確保を最優先させるという理由から、仏壇を設ける空間や床の間などを省いて設計する傾向にある。しかしながら、最近では、高齢者専用のマンションなどへの需要が高まりつつあることから、高齢者特有の生活スタイルに応じた空間、たとえば仏壇を設ける空間や床の間などの、心の空間を確保する、という提案をしていかなければならない。その際、限られた居住空間におけるわずかなスペースを有効に利用しなければならない。
【考案の開示】
【考案が解決しようとする課題】
【０００４】
本考案は、限られた生活空間における奥行きの狭いまたはわずかな奥行きのスペースに奥行きのあるヒナ壇構造体を設置すること、前記ヒナ壇構造体の正面扉に絵画など種々の物品を嵌め込む構造を設けることにより、現代人に心の空間を確保することを目的とする。
【課題を解決するための手段】
【０００５】
本考案のヒナ壇構造体は、正面扉と、正面扉の内側に設けられた１個または複数個の棚と、前記正面扉の内側に開閉自在に設けられた１個または複数個の内部扉と、前記棚を支持する側部構造体とからなるヒナ壇構造体であって、前記内部扉の一部が、前記棚または側部構造体に設けられた支持機構により、水平状態となるよう旋回自在に支持され、かつ背面に、壁体に固着するための固着手段が設けられてなることを特徴としている。
【０００６】
また、前記正面扉が、枠体で、該枠体内に嵌めこまれた内挿部材が１個または複数個の部材を重ね合わせてなることが好ましい。
【０００７】
また、前記正面扉が１個または複数個であることが好ましい。
【考案の効果】
【０００８】
本考案によれば、住宅のわずかな奥行きで、奥行きのある折畳式ヒナ壇構造体を設置できる。さらに、正面扉の内挿部材に絵画等を当て嵌めることも可能であり、日常生活に安らぎを提供し、現代人に心の空間を確保することができる。
【考案を実施するための最良の形態】
【０００９】
本考案のヒナ壇構造体は、背面に設けられた固着手段により壁体に形成された固着部位に固着されている。
【００１０】
以下、添付図面を参照して、本考案のヒナ壇構造体を詳細に説明する。
【００１１】
図１は、本考案のヒナ壇構造体の一実施形態（実施の形態１）における壁体への設置例を説明するための正面図である。図２は、本考案のヒナ壇構造体の一実施形態（実施の形態１）の正面扉を開放した状態を説明するための正面図である。図３は、本考案のヒナ壇構造体の一実施形態（実施の形態１）の壁体への設置例を説明するための側面図である。図４は、本考案のヒナ壇構造体の一実施形態（実施の形態１）の内部扉が開放された状態を説明するための側面一部の断面図である。図５は、本考案のヒナ壇構造体の一実施例（実施の形態１）における内挿部材の構成例を説明するための側面一部の断面図である。図６は、本考案のヒナ壇構造体の一実施例（実施の形態２）を説明するための正面図である。図７は、本考案のヒナ壇構造体の一実施例（実施の形態２）の正面扉を開放した状態を説明するための正面図である。図８は、本考案のヒナ壇構造体の一実施例（実施の形態２）の壁体への設置例を説明するための側面一部の断面図である。図９は、本考案のヒナ壇構造体の一実施例（実施の形態２）の内部扉が開放された状態を説明するための側面一部の断面図である。
【００１２】
実施の形態１
実施の形態１では、マンション、アパートや、戸建の住宅における、鉄筋コンクリート壁、板壁、塗り壁などの壁体にヒナ壇構造体を設置する形態について説明する。
【００１３】
実施の形態１のヒナ壇構造体１は、図１〜４に示されるように、正面扉２と、正面扉２の内側に設けられた１個または複数個の棚３（図では３個の場合を例示）と、前記正面扉２の内側に開閉自在に設けられた１個または複数個の内部扉４（図では２個の場合を例示）と、前記棚３を支持する側部構造体５とから構成されている。参照符号６、７は、それぞれ欄間を示している。参照符号６としてたとえば目隠し、参照符号７としてたとえば模様が施された正面板があげられる。
【００１４】
前記正面扉２は、左側面が側部構造体５の左側面とヒンジ８により開閉自在に固着されている（図３参照）。前記正面扉２を開放すると、図２に示されるように内部に棚３と、閉鎖状態（つまり床面に対して垂直）の内部扉４と、棚３の側面両端を支持するための側部構造体５が設置されている。図４に示されるように、内部扉４の下端４ａの一部は、棚３の前端３ａの一部とヒンジ８によって開閉可能に支持されており、最大に開放すると、内部扉４の下端４ａが、棚３の前端３ａと当接することにより、水平状態を維持することができる。なお、本考案ではヒンジ８として、ドロップ丁番を用いることが外観上好ましく、好適に用いることができる。また、図４に示されるように、側部構造体５および内部扉４によって区切られる空間には、御本尊、位牌などの各種仏具を収納することができ、必要に応じて前述のように内部扉４を水平に開放することにより、テーブルとし、収納していた各種仏具を手前に並べて使用することができる。なお、内部扉４を閉鎖状態で維持するために、閉鎖状態の内部扉４の上端４ｂが当接する位置に固着部材９を設けてもよい。固着部材９としては、磁石のほかに、従来知られている面ファスナーによる固着や、樹脂からなるボールとボールキャッチを対応する位置に設置してもよく、当業者に自明な各種個着手段を用いることができる。
【００１５】
前記内部扉４の中央上部には、前述のように内部扉４を水平状態に開放しやすいよう、手がかり１０が設けられている。手がかり１０の位置および個数は特に限定されず、自由に設けることができる。手がかり１０のかわりにつまみや紐などが設置されていてもよい。
【００１６】
図３および図４に示されるように、ヒナ壇構造体の背面には壁体１１に設けられた固着部位１２に固着できるよう、固着手段１３が設けられている。固着手段１３は、図４に示されるように、壁体１１に上端が尖った引掛け部が固着部位１２として設けられ、ヒナ壇構造体の背面には前記引掛け部と形状が対応するような引掛け部が固着手段１３として設けられている場合のほか、単に壁体に対してくぎやねじなどの従来知られた固着手段により固着してもよく、その他当業者に自明の各種固着手段を用いることが可能である。
【００１７】
また、図５に示されるように、正面扉２は、枠体１４と枠体１４に嵌め込まれた内挿部材１５から構成される形態でもよく、前記内挿部材１５は、１個または複数個（図５では７個）の部材を重ね合わせることができる。たとえば部材として、部材１５ａ、部材１５ｂにガラス材やプラスチック材に代表される光透過性部材、部材１５ｃ、部材１５ｄに絵画や写真などの各種物品、部材１５ｅとして、前記部材１５ａと部材１５ｃ、または部材１５ｂと部材１５ｄを安定に支持するための背板を設けた場合、正面扉２を正面視でいわゆるフォトフレームとして使用することができ、なおかつ正面扉２の背面にも正面とはことなる物品（たとえば家族の写真など）を飾り付けることもできる。また、部材１５ｆおよび部材１５ｇは、部材１５ｅを覆う部材であり、たとえば画用紙があげられる。その結果、部材１５ｃ、部材１５ｄにより、日常生活に安らぎを提供できるほか、信仰を深めること、先祖を供養する心を尊重することが可能であり、現代人に心の空間を確保することができる。なお、部材１５ｅとして、中密度繊維板（ＭＤＦ）など、当業者に自明の各種部材を採用することができる。これにより、部材１５ａ、部材１５ｂ、部材１５ｃ、部材１５ｄを安定に支持することができる。なお、これら部材の固定には、たとえば、一端が固定され、他端が回転可能に支持された固定金具などの従来知られた固着手段１６を用いることができるが、固着手段１６はこれに限定されず、当業者に自明の各種固着手段を用いることができる。
【００１８】
実施の形態２
実施の形態２では、マンション、アパートや、戸建の住宅におけるカウンターキッチンの裏（たとえばリビング側の壁）などの壁体にヒナ壇構造体を設置する形態について説明する。なお、本考案のヒナ壇構造体の設置場所は、上記場所に特に限定されず自由に選択することができる。また、実施の形態２では、ヒナ壇構造体１７の正面扉２が２枚の両開き戸の場合を例に説明する。
【００１９】
実施の形態２のヒナ壇構造体１７は、正面扉２および正面扉２の内側の棚３および棚３ｂの数が異なる点、棚３を支持するための支持方法が異なる点、棚３を支持するための板状部材１８が設けられている点、照明装置１９とその電源供給装置２０を設けたほかは、実施の形態１と同じである。
【００２０】
図６〜９に示されるように、正面扉２（図では２個の場合を例示）と、正面扉２の内側に設けられた１個または複数個の棚３および棚３ｂ（図では棚３と棚３ｂが合計６個の場合を例示）と、前記正面扉２の内側に開閉自在に設けられた１個または複数個の内部扉４（図では２個の場合を例示、ただし１個は正面扉の下位置に設けられた場合を例示）と、前記棚３を支持する側部構造体５と、棚３を指示するための１個または複数個の板状部材１８（図では２個の場合を例示）から構成されている。
【００２１】
棚３は、側部構造体５および板状部材１８に設けられた固定部材挿入穴２１に挿入された固定部材２２を足場として、固定部材２２上部に乗せることにより水平保持されている。なお、固定部材２２および固定部材挿入穴２１の数は、棚３がバランスを崩さないように極端に偏らない位置で４点以上設けられていることが好ましい。なお、固定部材２２は、比較的強度が高ければ自由に選択することができ、たとえば樹脂類や金属が選択される。また、固定部材挿入穴２１を、あらかじめ高さを変えて複数個所設けておくことにより、前述のように高さの高い仏具を保管したり、大きな献花を備える際に適宜調節できることから好ましい。
【００２２】
なお、実施の形態２のヒナ壇構造体１７は、内部に照明装置１９を設けることも可能であり、またその場合、コンセントなどの電源供給手段２０を設置することが好ましい。図８は、ヒナ壇構造体１７の上部に照明装置１９を設け、下部に電源供給手段２０を設けた例である。なお、照明装置１９は本考案において、必須の構成要素ではなく、必要に応じて設けることができる。
【００２３】
以上、本考案のヒナ壇構造体によれば、住宅のわずかな奥行きで、奥行きのあるヒナ壇構造体を設置できる。また、据え付けたシステム収納家具の前面を壁体として機能させて、当該壁体にヒナ壇構造体を設置することもできる。さらに、正面扉の内挿部材に絵画等を当て嵌めることも可能であり、日常生活に安らぎを提供し、現代人に心の空間を確保することができる。
【００２４】
なお、本考案は、マンションなどの集合住宅や一戸建てに用いられる壁体を想定しており、建築物の建造時、建造後、修繕後など種々の場面において取り付けることができる。
【００２５】
また、上記実施の形態では、壁体や空間に仏壇が組み込まれる場合について説明したが、本考案はこれに限定されるものではなく、床面や台に直接設置してもなんら問題ない。
【図面の簡単な説明】
【００２６】
【図１】本考案のヒナ壇構造体の一実施形態（実施の形態１）における壁体への設置例を説明するための正面図である。
【図２】本考案のヒナ壇構造体の一実施形態（実施の形態１）の正面扉を開放した状態を説明するための正面図である。
【図３】本考案のヒナ壇構造体の一実施形態（実施の形態１）の壁体への設置例を説明するための側面図である。
【図４】本考案のヒナ壇構造体の一実施形態（実施の形態１）の内部扉が開放された状態を説明するための側面一部の断面図である。
【図５】本考案のヒナ壇構造体の一実施例（実施の形態１）における内挿部材の構成例を説明するための側面一部の断面図である。
【図６】本考案のヒナ壇構造体の一実施例（実施の形態２）を説明するための正面図である。
【図７】本考案のヒナ壇構造体の一実施形態（実施の形態２）の正面扉を開放した状態を説明するための正面図である。
【図８】本考案のヒナ壇構造体の一実施形態（実施の形態２）の壁体への設置例を説明するための側面一部の断面図である。
【図９】本考案のヒナ壇構造体の一実施形態（実施の形態２）の内部扉が開放された状態を説明するための側面一部の断面図である。
【符号の説明】
【００２７】
１、１７  ヒナ壇構造体
２  正面扉
３、３ｂ  棚
３ａ  前端
４  内部扉
４ａ  下端
４ｂ  上端
５  側部構造体
６  目隠し
７  正面板
８  ヒンジ
９  固着部材
１０  手がかり
１１  壁体
１２  固着部位
１３、１６  固着手段
１４  枠体
１５  内挿部材
１５ａ、１５ｂ、１５ｃ、１５ｄ、１５ｅ、１５ｆ、１５ｇ  部材
１８  板状部材
１９  照明装置
２０  電源供給装置
２１  固定部材挿入穴
２２  固定部材
【図１】
0003137056.tif 000003
【図２】
0003137056.tif 000004
【図３】
0003137056.tif 000005
【図４】
0003137056.tif 000006
【図５】
0003137056.tif 000007
【図６】
0003137056.tif 000008
【図７】
0003137056.tif 000009
【図８】
0003137056.tif 000010
【図９】
0003137056.tif 000011